(57)【特許請求の範囲】
【請求項１】
天板と、この天板を支持する複数の可動脚と、前記天板に複数の可動脚を接続する複数の接続金具とを備え、
前記複数の可動脚が、前記複数の接続金具により、前記天板の外枠の内方から外方またはその逆方向へと双方向にスライド可能に支持され、しかも前記天板の外枠の内方及び外方の所定位置で夫々係止される構成とし、
前記可動脚は、一端に略直角方向に折曲された折曲部と、この折曲部に対して十の字に交差して固定されたスライド棒とを備え、
前記接続金具は、前記天板の板面に固定される底板と、この底板に突設されたロックバネと、この底板の両縁から折曲された一対の側壁と、この一対の側壁のそれぞれに前記底板の板面に沿って略平行に穿設された一対の長孔とを備え、
前記スライド棒の両縁部が、前記接続金具の一対の長孔に挿入されてこの長孔に沿ってスライドし、前記ロックバネにより係止される構成としたことを特徴とするスタッキングテーブル。
【請求項２】
前記接続金具は、前記天板の稜部に配置され、
前記可動脚は、該接続金具を介して、前記天板の内方部から稜部に向かってまたはその逆方向へと双方向にスライドすることを特徴とする請求項１に記載のスタッキングテーブル。
【請求項３】
前記可動脚は、前記天板の一辺の稜部にのみ配置され、
前記天板の他辺の稜部には、固定金具を介して固定された固定脚が配置されたことを特徴とする請求項１又は請求項２に記載のスタッキングテーブル。
【請求項４】
前記可動脚は、回動するキャスタを備えたことを特徴とする請求項１〜請求項３何れか記載のスタッキングテーブル。
【発明の詳細な説明】
【０００１】
【発明の属する技術分野】
本発明は、学校の食堂や事務所などで多数並べて使用され、積み重ねた状態で保管できるスタッキングテーブルに関する。
【０００２】
【従来の技術】
従来のスタッキングテーブルは、積み重ねて保管するために、特開２００１―１２８７４０号公報、特開平１０−１２７３５４号公報に記載された構成が知られている。
【０００３】
まず、第１の従来例として、特開２００１―１２８７４０号公報に記載のスタッキングテーブルの構成を説明する。図８はスタッキングテーブルの平面図、図９は同スタッキングテーブルを複数段に積み重ねた構成を表す正面図である。
図８、図９において、１０１はスタッキングテーブルであり、このスタッキングテーブル１０１は、台形状の天板１０２と、この天板１０２の一辺である台形の上辺から外方に突き出すように天板１０２に固定された一対の脚１０３と、この天板１０２の対向する二辺である台形の左右の辺から外方に突き出すように天板１０２に固定された一対の脚１０４とを備えている。
【０００４】
そして、このスタッキングテーブル１０１は、下段の天板１０２と上段の天板１０２とを、これら各天板１０２の形状である台形の高さ方向（図８、図９における矢印Ｌ方向）に互いにずらし、上段のスタッキングテーブル１０１の脚１０３、１０４を下段の天板１０２の外側に配置するようにすれば、複数段、積み重ねて保管することができる。
【０００５】
次に、第２の従来例として、特開平１０−１２７３５４号公報に記載のスタッキングテーブルの構成を説明する。図１０はスタッキングテーブルの平面図、図１１は同スタッキングテーブルを複数段に積み重ねた構成を表す正面図である。
図１０、図１１において、２０１はスタッキングテーブルであり、このスタッキングテーブル２０１は、長方形状の天板２０２と、この天板２０２の長手方向に沿った両側縁２０７、２０８から外方に突き出すように天板２０２に固定された脚２０５、２０６と、両側縁２０７、２０８から外方に突き出すことなく他辺の側縁２０９に接して固定された脚２０３、２０４とを備えている。
【０００６】
そして、このスタッキングテーブル２０１は、天板２０２を下段から上段に積み重ねるに従い、この天板２０２を長手方向（図１０、図１１における矢印Ｌ方向）にずらし、上段のスタッキングテーブル２０１の脚２０３〜２０６が下段の天板２０２の外側に配置するようにすれば、複数段、積み重ねて保管することができる。
【０００７】
【発明が解決しようとする課題】
しかしながら、第１の従来例に記載された構成によれば、スタッキングテーブル１０１は、天板１０２の形状が台形状の形に制約されているので種々の形状のスタッキングテーブルを提供することが困難であり、且つ、脚１０３が天板１０２の側縁から外方に突き出すように固定されているので、多数のテーブルを並べて使用する場合において、隣接するスタッキングテーブル１０１どうしの天板を密着して並べることができなく、脚１０３が天板１０２の側縁から突き出した寸法だけ隙間が空いてしまい、複数のテーブルを隙間なく整然と並べることができないという問題点がある。
【０００８】
また、第２の従来例に記載されたスタッキングテーブル２０１の構成においても、脚２０３、２０４が天板２０２の側縁から外方に突き出すように固定されているので、多数のテーブルを並べて使用する場合に、隣接するスタッキングテーブル２０１どうしの天板２０２を密着して並べることができず、脚２０３、２０４、２０５、２０６が天板２０２の側縁から突き出した寸法だけ隙間が空いてしまい、複数のスタッキングテーブル２０１を隙間なく整然と並べることができないという問題点がある。
【０００９】
本発明は、前記問題点を解決するもので、多数のスタッキングテーブルを並べて使用する場合には、余分な床面積を必要とせず整然と並べることができ、使用しない場合には、容易に積み重ねることができるスタッキングテーブルを提供することを目的とするものである。
【００１０】
【課題を解決するための手段及び発明の効果】
かかる目的を達成するためになされた請求項１に記載の発明は、天板と、この天板を支持する複数の可動脚と、前記天板に複数の可動脚を接続する複数の接続金具とを備え、前記複数の可動脚が、前記複数の接続金具により、前記天板の外枠の内方から外方またはその逆方向へと双方向にスライド可能に支持され、しかも前記天板の外枠の内方及び外方の所定位置で夫々係止される構成とし、
前記可動脚は、一端に略直角方向に折曲された折曲部と、この折曲部に対して十の字に交差して固定されたスライド棒とを備え、
前記接続金具は、前記天板の板面に固定される底板と、この底板に突設されたロックバネと、この底板の両縁から折曲された一対の側壁と、この一対の側壁のそれぞれに前記底板の板面に沿って略平行に穿設された一対の長孔とを備え、
前記スライド棒の両縁部が、前記接続金具の一対の長孔に挿入されてこの長孔に沿ってスライドし、前記ロックバネにより係止される構成としたことを特徴とする。
【００１１】
このため、請求項１記載のスタッキングテーブルによれば、可動脚を天板の外枠の内方に配置して接続金具により係止させれば、隣接するスタッキングテーブル同士を密着して整然と並べることができ、逆に、可動脚を天板の側縁から外方に引き出して接続金具により係止させれば、この可動脚が下段のスタッキングテーブルに当たらないように複数段積み重ねることができる。
【００１２】
また、請求項１に記載のスタッキングテーブルは、接続金具を介して可動脚を天板の外枠の内方或いは外方の所定位置に配置できることから、天板の形状やデザイン等に制約されることなく実現できる。
このため、請求項１に記載のスタッキングテーブルにおいては、スライド棒の両縁部が接続金具に形成された一対の長孔に沿ってスライドすることにより、可動脚が天板の外枠の内方から外方或いはその逆方向へとスライドすることになるので、可動脚が天板に対してスライドする方向が安定し、可動脚の天板に対する位置決めを容易に行うことができる。
また、可動脚の天板に対する固定位置は、スライド棒が接続金具の長孔に沿ってスライドさせた際にロックバネにより係止される位置であるので、その固定位置は接続金具に設けられたロックバネの位置によって常に所定位置に設定され、しかも、可動脚は、天板の外方へ引き出したり内方へ戻したりする際に、スライド棒がロックバネに係止される位置で簡単に位置決めできるので、この位置決めのための操作を極めて容易に行うことができる。
次に、請求項２に記載の発明は、請求項１に記載のスタッキングテーブルにおいて、特に、接続金具が、天板の稜部に配置され、可動脚が、接続金具を介して、天板の内方部から稜部に向かってまたはその逆方向へと双方向にスライドすることを特徴とする。
【００１３】
このため、請求項２に記載のスタッキングテーブルによれば、スタッキングテーブルの天板の形が、長方形、正方形、台形など異なる場合でも可動脚のスライド方向を稜部に標準化し、容易に可動脚を双方向にスライドできる。
また、請求項３に記載の発明は、請求項１又は請求項２に記載のスタッキングテーブルにおいて、可動脚が、天板の一辺の稜部にのみ配置され、天板の他辺の稜部には、固定金具を介して固定された固定脚が配置されたことを特徴とする。このため、請求項３に記載のスタッキングテーブルによれば、床面に安定して設置され、且つ、可動脚を天板の外方へ引き出したり、天板の内方へ戻したりする場合にも作業が容易に行えるという作用効果が得られる。
【００１４】
次に、請求項４に記載の発明は、請求項１〜請求項３何れかに記載のスタッキングテーブルにおいて、可動脚が、回動するキャスタを備えたことを特徴とする。このため、請求項４に記載のスタッキングテーブルによれば、可動脚が床面に設置した状態で、この可動脚を天板の外方へ引き出したり、天板の内方へ戻したりすることが容易にできるという作用効果が得られる。
【００１８】
【発明の実施の形態】
以下、本発明の実施形態を図面と共に説明する。
図１は本発明が適用された実施形態のスタッキングテーブルの構成を表す分解斜視図、図２は本実施形態のスタッキングテーブルの可動脚の天板への取り付け部分を表す説明図、図３は本実施形態のスタッキングテーブルを積み重ねた状態を表す説明図である。
【００１９】
図１〜３において、１はスタッキングテーブルであり、このスタッキングテーブル１は、天板２と、接続金具５、６を介して天板２を支持する可動脚３、４と、固定金具１４、１５を介して天板２を支持する固定脚１６、１７と、天板２の略中央部に固定され接続金具５、６及び固定金具１４、１５とほぼ等しい厚みを有する補強パイプ７とより成る。
【００２０】
可動脚３、４は、天板２に固定した接続金具５、６に接続され、端部に回動するキャスタ１８、１９を備え、天板２の一辺１２の稜部８、９にのみ配置されている。また、天板２の他片１３の稜部１０、１１には、固定金具１４、１５に固定された固定脚１６、１７が配置されている。
【００２１】
接続金具５、６は、天板２の稜部８、９に固定され、この天板２の外枠の内方から外方またはその逆方向へと双方向（図２の矢印Ａ方向、Ｂ方向）にスライドして所定の位置でそれぞれ係止するように構成されている。そして、スタッキングテーブル１は、並べて使用するときには、可動脚３、４を天板２の内方部に係止して整然と並べられ、保管するときには、可動脚３、４を天板２の外方部に係止して（図３）に示すように積み重ねられる。
【００２２】
次に、図４〜図６を用いて、可動脚３、４と接続金具５、６の構成を詳細に説明する。図４は同実施の形態におけるスタッキングテーブルの可動脚と接続金具との構成を示す分解斜視図、図５は同実施の形態における接続金具の一部を切り欠いた状態を表す平面図、図６は図５に示す接続金具を矢印Ａ方向から見て一部を切り欠いた状態を表す側面図である。図５、図６中の一点鎖線は、可動脚がスライドした場合の仮想線であり、本実施の形態では、可動脚のスライド距離Ｓ寸法が略７０ｍｍに設定されている。
【００２３】
図４〜図６において、可動脚３、４は、一端に略直角方向に折曲された折曲部２０を備え、この折曲部２０に対して十の字に交差するようにスライド棒２１を貫通せしめ、下方からネジ７８で固定した構成となっている。なお、可動脚３、４及びスライド棒２１を形成する材料は、表面にメッキ処理または塗装処理した丸棒鋼材から適宜選択される。
【００２４】
接続金具５、６は、脚ベース金具２２と、この脚ベース金具２２の底板２８に突設された一対のロックバネ２５、２６と、可動脚３、４の折曲部２０を挟持するスライドクランプ２４、クランプカバー２７と、脚ベース金具２２を覆う脚スタックカバー２３とを備えて構成されている。
【００２５】
脚ベース金具２２は、金属板をプレス加工して形成され、底板２８の両縁から折曲された一対の側壁２９、３０と、この一対の側壁２９、３０のそれぞれに前記底板２８の板面に沿って略平行に穿設された一対の長孔３１、３２とが付設されている。長孔３１、３２は、幅寸法Ｗ１がスライド棒２１の径Ｄ１より僅かに大きく形成されており、スライド棒２１の縁部３３、３４が挿入されてこの長孔３１、３２のL１の方向に沿ってスライドするように構成されている。また、この脚ベース金具２２は、スライドクランプ２４を設置する座部４１、４２と脚スタックカバー２３を固定する座部４３〜４６とが形成され、これらの座部４１〜４６の上面に雌ねじ４７〜５２が形成されている。更に、底板２８には天板２とボルト締めするためのボルト孔５６〜６１が形成されている。
【００２６】
ロックバネ２５、２６は、バネ性が優れたステンレスをプレス加工して形成され、両縁部を反復して折り曲げて一対の山形部３５、３６が形成されている。そして、スライド棒２１は、縁部３３、３４が、このロックバネの山形部３５、３６の頂点を押し下げて長孔３１、３２の端部に向かってスライドし、長孔３１、３２の端部に当接すると、ロックバネ２５、２６の山形部３５、３６がバネ圧により上方へ復元し、このロックバネ２５、２６の斜面部３７、３８によって係止される。この山形部３５、３６は、スライド棒２１のスライドする軌道上にあってスライド範囲の始端部と終端部との２箇所に設けられているので可動脚３、４を引き出したり戻したりするときに位置決めが正確にできる。そして、スライド棒がスライドして係止するときにはカチっと音がするので極めて作業性が良い。
【００２７】
スライドクランプ２４とクランプカバー２７は、合成樹脂を用いて成形され、半円の開口溝３９、４０が形成されている。この半円の開口溝３９、４０を合わせて円形状の溝が形成されると、この円形状の溝の内径は、可動脚３、４の折曲部２０の径よりわずかに大きく、この折曲部２０が貫通してスライドされる。
【００２８】
脚スタックカバー２３は、合成樹脂を用いて成形され、脚ベース金具２２を覆い固定される。この脚スタックカバー２３は、上面の略中央部に、一対のへこみ５３、５４が形成され、樹脂成形により歪みが無く強度の優れたものになっている。
【００２９】
また、この脚スタックカバー２３には、脚ベース金具２２に形成したボルト孔５６〜６１と重なる位置にボルト孔６２〜６７を設けており、これらのボルト孔６２〜６７にボルト（図示せず）を貫通せしめ天板２と固定できるようになっている。
【００３０】
次に、構成の接続金具５、６と可動脚３、４の組み立て方法を説明する。予め可動脚３、４には折曲部２０が溶接やボルト締め（図示せず）により固定され、この折曲部２０にスライド棒２１を貫通せしめ下方からネジ７８により固定されている。
【００３１】
まず、脚ベース金具２２に、ロックバネ２５、２６をネジ７４、７５によって固定する。このとき、ロックバネ２５、２６は長孔３１、３２と平行に、且つ長さ方向の中心が一致するように固定される。
次に、脚ベース金具２２の長孔３１、３２に可動脚３、４のスライド棒２１の両縁部３３、３４を挿入する。このとき、スライド棒２１の縁部３３、３４を互いに長孔３１、３２のＬ１方向にずらすと容易に挿入できる。
【００３２】
次に、可動脚３、４の折曲部２０の下面にスライドクランプ２４の半円の開口溝３９を重ねて脚ベース金具２２の座４１、４２に設置し、上方よりクランプカバー２７を重ねる。そして折曲部２０を収納した状態で脚ベース金具２２の座部４１、４２にスライドクランプ２４及びクランプカバー２７とを重ねてネジ止めする。
【００３３】
前記工程中、グリス５５をスライド棒２１の両縁部３３、３４と長孔３１、３２とのスライド部や、折曲部２０とスライドクランプ２４及びスライドクランプカバー２７とのスライド部にグリス５５が塗布される。これにより、スライド棒２１は、スライドが円滑で寿命の優れたものになる。
【００３４】
次に、上方より脚スタックカバー２３を脚ベース金具２２に被せて、脚スタックカバー２３のネジ孔６８〜７１が脚ベース金具の雌ねじ４９〜５２とが重なるように位置決めし、ネジ止めする。
次いで、前記のように構成され組み立てられた接続金具５、６は、ボルト孔５６〜６１及び６２〜６７にボルト（図示せず）を挿入して天板２の裏面の稜部８、９に固定される。
【００３５】
尚、固定金具１４、１５と固定脚１６、１７は、可動脚３、４と接続金具５、６と基本的に同一の構成とし、スライド棒２１がスライドしないように固定金具１４、１５に溶接して固定している。固定金具１４、１５と固定脚１６、１７の固定は、他に種々の構成が考えられるが、固定金具と接続金具の外観形状がほぼ同一なものになるように構成した。
【００３６】
前記の構成を有する本発明の実施の形態のスタッキングテーブル１の作用効果を、以下に記載する。
本発明の実施の形態によるスタッキングテーブル１は、天板２の形状やデザイン等に制約がなく、並べて使用する場合には、前記可動脚３、４を天板２の側縁から内方に係止して整然と並べることができ、保管する場合には、前記可動脚３、４を天板２の側縁から外方に引き出して係止することによって上段の可動脚３、４と固定脚１６、１７が下段のスタッキングテーブル１に当たらないように積み重ねて保管できる。
【００３７】
また、本発明の実施の形態によるスタッキングテーブル１は、可動脚３、４を天板２の稜部に向かって引き出すように構成されているのでスタッキングテーブル１の天板２の形が、例えば、長方形、正方形、台形など異なる場合でも可動脚３、４のスライド方向を稜部に標準化し、容易に可動脚を双方向にスライドできる。
【００３８】
また、本発明の実施の形態によるスタッキングテーブル１は、固定脚１６、１７が配置されているので、床面に安定して設置され、可動脚３、４を天板２の外方へ引き出したり、天板２の内方へ戻したりする場合にも作業が容易である。
また、本発明の実施の形態によるスタッキングテーブル１は、前記可動脚３、４を床面に設置した状態で、キャスタ１８、１９を回動させてこの可動脚３、４を天板２の外方へ引き出したり、天板２の内方へ戻したりすることが容易にできる。
【００３９】
また、本発明の実施の形態によるスタッキングテーブル１は、前記可動脚３、４の一端に固定されたスライド棒２１を前記接続金具５、６の一対の長孔３１、３２に沿ってスライドし、前記ロックバネ２５、２６により係止することにより、天板２の外枠の内方から外方またはその逆方向へと双方向にスライド可能に成り、所定の位置で容易に位置決めができる。
【００４０】
図７は、本発明の種々の態様図であり、天板の形と可動脚及び固定脚の配置を示している。
図７において、（ａ）、（ｂ）、（ｃ）、（ｄ）に示すスタッキングテーブルは、互いに長さ寸法の異なる方形の天板２を有し、この天板２の一辺の稜部に接続金具５、６を介して可動脚３、４を立脚し、この天板の他片の稜部に固定金具１４、１５を介して固定脚１６、１７を立脚した構成としている。
【００４１】
図７（ｅ）に示すスタッキングテーブルは、天板２の形を台形とし、底辺の稜部に接続金具５、６を介して可動脚３、４を立脚し、上辺の稜部に固定金具１４、１５を介して固定脚１６、１７を立脚した構成とし、接続金具５、６の間に補強補強パイプ７を備えた構成としている。
【００４２】
図７（ｆ）に示すスタッキングテーブルは、長方形の天板２の一辺に近接する稜部に接続金具５、６を介して可動脚３、４を立脚し、他辺に近接する稜部に固定金具１４、１５を介して固定脚１６、１７を立脚し、さらに、補強パイプ７を接続金具５、６と固定金具１４、１５との中間部に備えた構成としている。
【００４３】
図７（ｇ）に示すスタッキングテーブルは、長方形の天板２の一辺に近接する稜部に接続金具５、６を介して可動脚３、４を立脚し、他辺に近接する稜部に固定金具１４、１５を介して固定脚１６、１７を立脚し、さらに、補強パイプ７を接続金具５、６との間と固定金具１４、１５との間にそれぞれ備えた構成としている。
【００４４】
図７（ｈ）に示すスタッキングテーブルは、長方形の天板２の一辺に近接する稜部に接続金具５、６を介して可動脚３、４を立脚し、他辺に近接する稜部に固定金具１４、１５を介して固定脚１６、１７を立脚し、さらに、接続金具５、６と固定金具１４、１５との間隙を補強パイプ７の幅分だけ空けて固定し、この間隙に補強パイプ７を挿入して固定した構成としている。
【００４５】
図７（ｉ）に示すスタッキングテーブルは、円形の天板２の縁端に４つの接続金具５、６を介して可動脚３、４を４本立脚した構成としている。
図７（ｊ）に示すスタッキングテーブルは、半円状の天板２の稜部に接続金具５、６を介して可動脚３、４を立脚し、円周に沿っての中間部に固定金具１４を介して固定脚１６を立脚した構成としている。
【００４６】
図７（ｋ）に示すスタッキングテーブルは、半円状の天板２の稜部に接続金具５、６を介して可動脚３、４を立脚し、円周に沿った２箇所に固定金具１４、１５を介して固定脚１６、１７を立脚し、接続金具５と６との間に補強パイプ７を固定した構成としている。
【００４７】
図７（ｍ）に示すスタッキングテーブルは、天板２が一辺とこの一辺に直交する他辺のそれぞれの頂点を円弧上に結んだ形を有し、一辺の稜部に接続金具５、６を介して可動脚３、４を立脚し、他辺と円弧の交わる稜部及び円弧上に沿ってそれぞれ固定金具１４、１５を介して固定脚１６、１７を立脚した構成としている。
【００４８】
以上のように構成された本発明の種々の態様図によれば、スタッキングテーブルは、可動脚を容易に天板の内方から外方へ引き出したり、天板の外方から内方へ戻したりすることができるので、整然と並べることができ、且つ、片付けるときには整然と積み重ねて保管できる。且つ、種々の天板の形状にも適用することができるので実用性に優れたものとなる。
【００４９】
図７（ａ）、（ｂ）、（ｃ）、（ｄ）、（ｆ）、（Ｇ）、（ｈ）に表したスタッキングテーブルは、天板の形が方形であるので、多数のテーブルを並べて使用する場合に、隣接するスタッキングテーブルどうしの天板の、何れの側縁でも密着して並べることができる。
【００５０】
図７（ｅ）に表したスタッキングテーブルは、天板の形が台形であるので、多数のテーブルを並べて使用する場合に、隣接するスタッキングテーブルどうしの天板の、台形の底辺と上辺とを向かい合うように密着させて並べることができる。
【００５１】
図７（ｉ）に示すスタッキングテーブルは、天板の形が円形であるので、多数のテーブルを並べて使用する場合に、隣接するスタッキングテーブルどうしを互いにスライドさせながら円形の任意の縁で互いに突き合わせて並べることができる。
【００５２】
図７（ｊ）、（ｋ）、（ｍ）に示すスタッキングテーブルは、天板の形が半円または円弧から成る辺と、直線から成る辺とを結んだ形であるので、多数のスタッキングテーブルを並べて使用する場合に、隣接するスタッキングテーブルどうしの半円または円弧の任意の縁で互いに突き合わせて並べたり、直線から成る辺どうしを密着させて向かい合うように並べたりすることができる。
【００５３】
尚、本発明の実施の形態において、ロックバネ２５、２６と脚ベース金具２２とはそれぞれ異なる部品として製作してネジで固定したが、脚ベース金具２２をバネ性の優れた金属を用いて形成し、この脚ベース金具２２の底板２８の一部を上方に向けて切り曲げしロックバネ２５、２６を一体に形成しても良い。
【００５４】
また、ロックバネ２５、２６は、バネ性が優れたステンレスを用いて形成したが、ばね鋼材やリン青銅、洋白、黄銅等のバネ材料を用いても良い。
また、本発明の実施の形態において、スライドクランプ２４とクランプカバー２７とはそれぞれ異なる部品として製作したが、これらを一体に成形し、可動脚３、４の折曲部２０に挿入してからスライド棒２１を折曲部２０に固定しても良い。
【００５５】
また、本発明の実施の形態において、可動脚３、４は、折曲部２０にスライド棒２１を固定して形成したが、このスライド棒２１を、軸受を介して回転するように構成しても良い。
また、可動脚３、４に備えたキャスタ１８、１９には、必要に応じてこのキャスタ１８、１９の回動をロックするロックレバーや、床面とのがたつきを調製するためのアジャスタを備えると好ましい。
【００５６】
また、本発明の実施の形態において、可動脚のスライド距離Ｓ寸法を７０ｍｍに設定したが、本発明はスライド距離Ｓ寸法が７０ｍｍに限定されるものではなく、スタッキングテーブルの大きさや形状等を考慮して、使いやすいスライド距離に設定することが好ましい。
【００５７】
また、補強パイプ７の形状は細長い桟としたが、この形状に限定されるものではなく、スタッキングテーブル１を積み重ねたときに、天板２の歪みや損傷を防止できるものなら他の形状でも良い。
【図面の簡単な説明】
【図１】  本発明が適用された実施形態のスタッキングテーブルの構成を表す分解斜視図である。
【図２】  同実施形態の可動脚の天板への取り付け部分を表す説明図である。
【図３】  同実施形態のスタッキングテーブルを積み重ねた状態を表す説明図である。
【図４】  同実施形態のスタッキングテーブルの可動脚と接続金具との構成を示す分解斜視図である。
【図５】  同実施形態の接続金具の一部を切り欠いた状態を表す平面図である。
【図６】  同実施形態の図４に示す接続金具を矢印Ａ方向から見て一部を切り欠いた状態を表す側面図である。
【図７】  本発明が適用されたスタッキングテーブルの種々の態様を表す説明図である。
【図８】  第１の従来例のスタッキングテーブルの構成を表す平面図である。
【図９】  第１の従来例のスタッキングテーブルを複数段に積み重ねた状態を表す正面図である。
【図１０】  第２の従来例のスタッキングテーブルの構成を表す平面図である。
【図１１】  第２の従来例のスタッキングテーブルを複数段に積み重ねた状態を表す正面図である。
【符号の説明】
１…スタッキングテーブル、２…天板、３，４…可動脚、５，６…接続金具、７…補強パイプ、８，９，１０，１１…稜部、１２…一辺、１３…他辺、１４，１５…固定金具、１６，１７…固定脚、１８，１９…キャスタ、２０…折曲部、２１…スライド棒、２２…脚ベース金具、２３…脚スタックカバー、２４…スライドクランプ、２５，２６…ロックバネ、２７…クランプカバー、２８…底板、２９，３０…側壁、３１，３２…長孔、３３，３４…スライド棒の縁部、３５，３６…山形部、３７，３８…斜面部、３９，４０…半円の開口溝、４１〜４６…座、４７〜５２…雌ねじ，７９，８０…ネジ孔、５３，５４…へこみ、５５…グリス、５６〜６７…ボルト孔、７４〜７８…ネジ、１０１，２０１…スタッキングテーブル、１０２，２０２…天板、１０３，１０４，２０３〜２０６…脚、２０７，２０８，２０９…側縁。
【図１】
0003673767.tif 000002
【図２】
0003673767.tif 000003
【図３】
0003673767.tif 000004
【図４】
0003673767.tif 000005
【図５】
0003673767.tif 000006
【図６】
0003673767.tif 000007
【図７】
0003673767.tif 000008
【図８】
0003673767.tif 000009
【図９】
0003673767.tif 000010
【図１０】
0003673767.tif 000011
【図１１】
0003673767.tif 000012